(57)【要約】【課題】安定した位置で靴を保持して洗浄できる靴洗浄装置を提供する。【解決手段】靴洗浄装置は、靴Ｓを収納する収納室と、一足の靴Ｓに応じて一対設けられた保持部１６とを含む。保持部１６は、収納室内において、靴Ｓを、その靴底ＳＺが上側Ｚ１を向いた反転姿勢で保持する。保持部１６は、収納室に固定された根元部１６Ａと、靴Ｓの内部空間ＳＮよりも幅狭な先端部１６Ｂと、根元部１６Ａと先端部１６Ｂとをつないだ途中部１６Ｃと含む。根元部１６Ａは、靴Ｓのかかと部ＳＫが上側Ｚ１から嵌め込まれる嵌込部１６Ｊを有する。先端部１６Ｂは、靴Ｓの内部空間ＳＮに挿入されて靴底ＳＺを下側Ｚ２から支持する。途中部１６Ｃは、根元部１６Ａへ向けて幅広になるように構成されて靴Ｓの履き口ＳＨに嵌る嵌合部１６Ｒを有する。【選択図】図８
2019024750.tif 000002
【特許請求の範囲】
【請求項１】
靴を収納する収納室と、
一足の靴に応じて一対設けられ、前記収納室内において、靴を、その靴底が上側を向いた反転姿勢で保持する保持部とを含み、
前記保持部は、
靴のかかと部が上側から嵌め込まれる嵌込部を有し、前記収納室に固定された根元部と、
靴の内部空間よりも幅狭であり、靴の内部空間に挿入されて靴底を下側から支持する先端部と、
前記根元部へ向けて幅広になるように構成されて靴の履き口に嵌る嵌合部を有し、前記根元部と前記先端部とをつないだ途中部と含む、靴洗浄装置。
【請求項２】
前記根元部は、前記先端部よりも低い位置に配置され、
前記途中部は、前記先端部から前記根元部へ向けて下側へ傾斜するように構成される、請求項１に記載の靴洗浄装置。
【請求項３】
前記収納室内の靴に洗浄液を噴射する噴射口が設けられ、一対の前記保持部の間を通って上側へ延び、縦軸まわりに回転する回転ノズルと、
前記回転ノズルと一対の前記保持部のそれぞれとの間に配置されて前記回転ノズルを保護する保護部とをさらに含む、請求項１または２に記載の靴洗浄装置。
【請求項４】
前記保持部は、線材によって構成される、請求項１〜３のいずれか一項に記載の靴洗浄装置。
【発明の詳細な説明】
【技術分野】
【０００１】
この発明は、靴洗浄装置に関する。
【背景技術】
【０００２】
下記特許文献１で開示された靴洗浄機では、外槽内に配置された内槽の底部中央に、上下に延びる回転軸が回転自在に設けられる。回転軸の下部には、円形のヨク、いわゆるパルセータが一体的に設けられる。回転軸の周側面には、内槽の内面近くまで横向きに突出する主ブラシが上下に亘って設けられ、ヨク上には上向きに突出する補助ブラシが設けられる。内槽に給水されて靴が回転軸と内槽の内面との間に入れられた状態で回転軸が反転すると、この靴は、主ブラシおよび補助ブラシに擦られることによって洗われる。
【先行技術文献】
【特許文献】
【０００３】
【特許文献１】実開昭６２−１２０９５６号公報
【発明の概要】
【発明が解決しようとする課題】
【０００４】
特許文献１のように回転軸と内槽の内面との間に入れられた靴は、自由に動き回れるので、靴洗浄機内での靴の位置が安定しない。これでは、靴の外面部では、ブラシに接触しない箇所が生じ得るので、靴の外面部を満遍なく洗浄することが困難である。
【０００５】
この発明は、かかる背景のもとでなされたもので、安定した位置で靴を保持して洗浄できる靴洗浄装置を提供することを目的とする。
【課題を解決するための手段】
【０００６】
本発明は、靴を収納する収納室と、一足の靴に応じて一対設けられ、前記収納室内において、靴を、その靴底が上側を向いた反転姿勢で保持する保持部とを含み、前記保持部は、靴のかかと部が上側から嵌め込まれる嵌込部を有し、前記収納室に固定された根元部と、靴の内部空間よりも幅狭であり、靴の内部空間に挿入されて靴底を下側から支持する先端部と、前記根元部へ向けて幅広になるように構成されて靴の履き口に嵌る嵌合部を有し、前記根元部と前記先端部とをつないだ途中部と含む、靴洗浄装置である。
【０００７】
また、本発明は、前記根元部は、前記先端部よりも低い位置に配置され、前記途中部は、前記先端部から前記根元部へ向けて下側へ傾斜するように構成されることを特徴とする。
【０００８】
また、本発明は、前記収納室内の靴に洗浄液を噴射する噴射口が設けられ、一対の前記保持部の間を通って上側へ延び、縦軸まわりに回転する回転ノズルと、前記回転ノズルと一対の前記保持部のそれぞれとの間に配置されて前記回転ノズルを保護する保護部とをさらに含むことを特徴とする。
【０００９】
また、本発明は、前記保持部は、線材によって構成されることを特徴とする。
【発明の効果】
【００１０】
本発明によれば、靴洗浄装置では、保持部が、収納室内の靴を、靴底が上側を向いた反転姿勢で保持する。保持部では、収納室に固定された根元部における嵌込部に、靴のかかと部が上側から嵌め込まれ、靴の内部空間よりも幅狭な先端部が、靴の内部空間に挿入されて靴底を下側から支持する。これにより、収納室内での高さ方向における靴の位置が安定する。また、靴のかかと部が嵌込部に嵌め込まれるのに加えて、保持部の途中部において根元部へ向けて幅広になるように構成された嵌合部が靴の履き口に嵌るので、収納室内での横方向における靴の位置が安定する。そのため、靴洗浄装置では、収納室内の靴を、以上のように保持部によって安定した位置で保持した状態で洗浄できる。
【００１１】
また、本発明によれば、保持部では、根元部が先端部よりも低い位置に配置され、途中部が先端部から根元部へ向けて下側へ傾斜するように構成される。これにより、履き口が靴底に近いローカットタイプの靴や、履き口が靴底から離れたハイカットタイプの靴に関わらず、靴のかかと部が根元部の嵌込部に嵌め込まれ、先端部が靴底を下側から支持し、途中部の嵌合部が靴の履き口に嵌る。そのため、履き口の位置が異なるいずれの靴であっても、保持部によって安定した位置で保持した状態で洗浄できる。
【００１２】
また、本発明によれば、一対の保持部の間を通って上側へ延びる回転ノズルが回転すると、回転ノズルに設けられた噴射口から噴射した洗浄液が、各保持部によって安定した位置で保持された靴に満遍なく浴びせられるので、靴の全体を満遍なく洗浄できる。回転ノズルを保護する保護部が、回転ノズルと各保持部との間に配置される。これにより、各保持部によって保持された靴が回転ノズル側へ倒れることを保護部によって防止できるので、靴洗浄装置では、収納室内の靴を、一層安定した位置で保持した状態で洗浄できる。
【００１３】
また、本発明によれば、線材によって保持部をシンプルに構成できる。
【図面の簡単な説明】
【００１４】
【図１】図１は、この発明の一実施形態に係る靴洗浄装置の平面図である。
【図２】図２は、図１のＡ−Ａ矢視断面図である。
【図３】図３は、図２のＢ−Ｂ矢視断面図である。
【図４】図４は、図３のＣ−Ｃ矢視断面図である。
【図５Ａ】図５Ａは、図４のＤ−Ｄ矢視断面図である。
【図５Ｂ】図５Ｂは、靴洗浄装置の底面図である。
【図５Ｃ】図５Ｃは、図５ＢのＧ−Ｇ矢視断面図である。
【図５Ｄ】図５Ｄは、靴洗浄装置の背面図である。
【図６】図６は、靴洗浄装置において靴を保持する保持部の斜視図である。
【図７】図７は、保持部の平面図である。
【図８】図８は、保持部の右側面図である。
【発明を実施するための形態】
【００１５】
以下には、図面を参照して、この発明の実施形態について具体的に説明する。図１は、この発明の一実施形態に係る靴洗浄装置１の平面図である。以下では、図１における上下方向を靴洗浄装置１の左右方向Ｘといい、図１における左右方向を靴洗浄装置１の前後方向Ｙといい、図１の紙面に直交する方向を靴洗浄装置１の上下方向Ｚという。左右方向Ｘは、図１の上側に相当する左側Ｘ１と、図１の下側に相当する右側Ｘ２とを含む。前後方向Ｙは、図１の左側に相当する前側Ｙ１と、図１の右側に相当する後側Ｙ２とを含む。上下方向Ｚは、図１の紙面における手前側に相当する上側Ｚ１と、図１の紙面における奥側に相当する下側Ｚ２とを含む。左右方向Ｘおよび前後方向Ｙは、横方向、詳しくは水平方向に含まれ、上下方向Ｚは、垂直方向、換言すれば靴洗浄装置１の高さ方向と同じである。
【００１６】
靴洗浄装置１は、例えば衣類用の洗濯機が載せられる中空の台（図示せず）に組み込まれる。靴洗浄装置１は、その外殻をなすボックス状のフレーム２と、本体３とを含む。フレーム２は、例えば金属製の天板２Ａ、左側板２Ｂおよび右側板２Ｃを少なくとも含み、ボルトなどの締結部材によって、前述した台（図示せず）に固定される。天板２Ａは、左側板２Ｂおよび右側板２Ｃの上端縁間に架設される。フレーム２は、天板２Ａによって上側Ｚ１から塞がれて左側板２Ｂおよび右側板２Ｃによって左右方向Ｘの両側から塞がれた内部空間２Ｄを有する。内部空間２Ｄは、少なくとも前側Ｙ１へ開放される。
【００１７】
本体３は、扉４と洗浄槽５とを含み、フレーム２によって前後方向Ｙへスライド可能に支持される。図１における本体３は、収容位置にあり、収容位置の本体３では、洗浄槽５がフレーム２の内部空間２Ｄに収容された状態にある。扉４は、前後方向Ｙに一致した板厚方向を有する板状に形成され、フレーム２よりも前側Ｙ１に配置される。左右方向Ｘにおいて、扉４は、フレーム２よりも大きく、扉４の両端部は、フレーム２よりも外側へ突出して配置される。扉４の上端面には、排気口４Ａと、凹部４Ｂと、操作部４Ｃとが、例えば左側Ｘ１からこの順番で設けられる。排気口４Ａは、扉４内に形成された排気ダクト（図示せず）を介して洗浄槽５内に連通した状態にあり、洗浄槽５内の空気は、排気口４Ａから靴洗浄装置１の外に排出される。使用者は、凹部４Ｂに指を掛けることによって扉４を掴み、本体３を前後方向Ｙにスライドさせることができる。操作部４Ｃは、例えば複数のボタンによって構成され、靴洗浄装置１の運転のために使用者によって操作される。操作部４Ｃは、例えば液晶の表示部を含んでもよい。
【００１８】
図２は、図１のＡ−Ａ矢視断面図である。図３は、図２のＢ−Ｂ矢視断面図である。図２を主に参照して、洗浄槽５は、フレーム２よりも一回り小さい樹脂製または金属製の容器であって、扉４の後側Ｙ２に配置されて、扉４に固定される。洗浄槽５は、前壁６と後壁７と左壁８と右壁９（図３参照）と底壁１０とを一体的に有する。前壁６および後壁７は、前後方向Ｙに略一致した板厚方向を有する板状に形成され、前後方向Ｙに間隔を隔てて対向配置される。左壁８および右壁９は、左右方向Ｘに略一致した板厚方向を有する板状に形成され、左右方向Ｘに間隔を隔てて対向配置される。底壁１０は、前後方向Ｙに略一致した板厚方向を有する板状に形成され、前壁６および後壁７の下端縁間に架設され、左壁８および右壁９の下端縁間に架設される。
【００１９】
洗浄槽５において前壁６および後壁７によって前後方向Ｙから挟まれて左壁８および右壁９によって左右方向Ｘから挟まれて底壁１０によって下側Ｚ２から塞がれた内部空間を、収納室１１という。底壁１０の上面部は、収納室１１を下側Ｚ２から塞いだ底面部１２である。収納室１１は、前壁６、後壁７、左壁８および右壁９の上端によって縁取られた出入口１３を介して上側Ｚ１へ開放される。
【００２０】
出入口１３に関連して、フレーム２には、出入口１３を開閉する蓋１４が設けられる。蓋１４は、出入口１３を塞ぎ得る大きさを有する板状に形成され、フレーム２の天板２Ａの真下に配置される。蓋１４は、カムなどを用いた公知の昇降機構（図示せず）を介してフレーム２によって昇降可能に支持される。図２に示すように本体３が収容位置にある状態では、蓋１４は、下降して出入口１３を密閉した状態にある。使用者が扉４を掴んで前側Ｙ１へ引くと、本体３は、洗浄槽５がフレーム２よりも前側Ｙ１に位置する引出位置（図示せず）まで引き出される。本体３が収容位置から引出位置に引き出されるのに連動して昇降機構が作動することにより、蓋１４が上昇して出入口１３から離れる。これにより、引出位置にある本体３の洗浄槽５では、出入口１３が開放されて上側Ｚ１へ露出される。本体３が引出位置から収容位置に戻るのに連動して昇降機構が作動することにより、蓋１４が下降する。これにより、本体３が収容位置に戻ると、出入口１３が蓋１４によって密閉される。
【００２１】
本体３は、仕切部材１５と、保持部１６と、フィルタユニット１７と、ヒータ１８と、噴射機構１９と、噴射口２０と、保護部２１と、ダクト２２と、送風部２３と、給水路２４とを含む。仕切部材１５は、例えば樹脂製または金属製の線材によって、水平に延びる格子状に形成される。仕切部材１５は、上下方向Ｚにおける収納室１１の中央よりも下側Ｚ２へ偏った位置に配置されることによって、収納室１１を、仕切部材１５よりも上側Ｚ１の上空間１１Ａと、仕切部材１５よりも下側Ｚ２の下空間１１Ｂとに仕切る。上空間１１Ａは、靴洗浄装置１での洗浄対象である一足の靴Ｓを、余裕を持って収納できる広さを有する。下空間１１Ｂは、上下方向Ｚにおいて上空間１１Ａよりも小さい。なお、図２では、破線で示すように履き口ＳＨが靴底ＳＺに近いローカットタイプの靴Ｓ１、および、１点鎖線で示すように履き口ＳＨが靴底ＳＺから離れたハイカットタイプの靴Ｓ２という２種類の靴Ｓがまとめて図示される。
【００２２】
保持部１６は、一足の靴Ｓに応じて、一対設けられる。一対の保持部１６は、上空間１１Ａにおいて左右方向Ｘに並んで配置される。各保持部１６は、根元部１６Ａと、先端部１６Ｂと、途中部１６Ｃとを一体的に含む。根元部１６Ａは、収納室１１、詳しくは洗浄槽５の後壁７に固定される。根元部１６Ａは、後壁７において仕切部材１５に上側Ｚ１から隣接した部分から略水平に前側Ｙ１へ延びる。先端部１６Ｂは、根元部１６Ａよりも高い位置、詳しくは前後方向Ｙおよび上下方向Ｚにおける上空間１１Ａの略中央に配置されて、前後方向Ｙに沿って略水平に延びる。途中部１６Ｃは、先端部１６Ｂから根元部１６Ａへ向けて後側Ｙ２かつ下側Ｚ２へ傾斜して延びて、根元部１６Ａと先端部１６Ｂとをつなぐ。保持部１６は、線材によって枠状に構成される。
【００２３】
フィルタユニット１７およびヒータ１８に関連して、収納室１１の底面部１２には、底面部１２の略右半分をなす第１底面部１２Ａと、底面部１２の略左半分をなす第２底面部１２Ｂとが設けられる（図３も参照）。第１底面部１２Ａのほぼ全域には、下側Ｚ２へ凹んだ凹部１２Ｃが形成される。第２底面部１２Ｂは、凹部１２Ｃの上端から左側Ｘ１へ延び、凹部１２Ｃへ向けて下降するように傾斜して構成される（図３参照）。左右方向Ｘに対する第２底面部１２Ｂの傾斜角度は、例えば５度程度である。凹部１２Ｃの底１２Ｄは、第２底面部１２Ｂよりも低い位置にある。底１２Ｄの前端部には、下側へ凹んだ凹状の流出口１２Ｅと、流出口１２Ｅの下端からさらに下側Ｚ２へ凹んだ収容凹部１２Ｆとが形成される。収容凹部１２Ｆの底面または側面には、底壁１０を貫通した開口１２Ｇが形成される（後述する図５Ｃも参照）。開口１２Ｇは、収容凹部１２Ｆの底面および側面に跨って形成されてもよい。底１２Ｄには、流出口１２Ｅよりも後側Ｙ２に配置された傾斜面部１２Ｈが設けられる。傾斜面部１２Ｈは、洗浄槽５の後壁７の下端から前側Ｙ１へ延び、流出口１２Ｅへ向けて緩やかに下降する。前後方向Ｙに対する傾斜面部１２Ｈの傾斜角度は、例えば５度程度である。凹部１２Ｃ、流出口１２Ｅおよび収容凹部１２Ｆは、下空間１１Ｂの一部である。
【００２４】
フィルタユニット１７は、収容凹部１２Ｆ内に嵌め込まれることにより、第１底面部１２Ａの凹部１２Ｃ内において流出口１２Ｅに配置される。フィルタユニット１７は、メッシュなどで構成されて上下に薄いシート状のフィルタ２５を有する。フィルタ２５は、流出口１２Ｅを横切って配置される。ヒータ１８として、電熱器などを内蔵して上下に扁平な平面ヒータが用いられる。ヒータ１８は、凹部１２Ｃ内において、フィルタユニット１７よりも流出口１２Ｅから後側Ｙ２へ離れた位置に配置される。
【００２５】
噴射機構１９は、回転ノズル２６と、サイドノズル２７と、かかとノズル２８と、ポンプ２９とを含む。回転ノズル２６は、タワーノズル３０と水平ノズル３１とを有し、収納室１１内に配置される。タワーノズル３０は、平面視における収納室１１の略中央において、一対の保持部１６の間に配置される。タワーノズル３０は、上端が塞がれた管状の中空体であって、収納室１１の第２底面部１２Ｂから一対の保持部１６の間を通って収納室１１の出入口１３の手前まで上側Ｚ１へ延びる。タワーノズル３０の下端部が底面部１２によって支持されることにより、回転ノズル２６の全体は、タワーノズル３０の中心を通る仮想の縦軸Ｊまわりに回転可能である。図３を参照して、以下では、縦軸Ｊまわりの周方向を周方向Ｔといい、縦軸Ｊを中心とする径方向を径方向Ｒという。径方向Ｒのうち、縦軸Ｊから離れる側を径方向外側Ｒ１といい、縦軸Ｊに近付く側を径方向内側Ｒ２という。水平ノズル３１は、タワーノズル３０の下部から径方向外側Ｒ１へ張り出した上下に扁平な中空体である。水平ノズル３１は、複数存在し、縦軸Ｊまわりに回転対称となるように収納室１１の下空間１１Ｂに配置される。この実施形態の水平ノズル３１は、２つ存在し、タワーノズル３０を挟んで直線状に並んで配置される。
【００２６】
サイドノズル２７は、一対存在し、左右方向Ｘからタワーノズル３０および一対の保持部１６を挟むように、洗浄槽５内に配置される。各サイドノズル２７は、左右方向Ｘに扁平で前後方向Ｙに長手の中空体である。一対のサイドノズル２７のうち、左側Ｘ１のサイドノズル２７Ｌは、洗浄槽５の左壁８の右面に固定され、右側Ｘ２のサイドノズル２７Ｒは、洗浄槽５の右壁９の左面に固定される。左右方向Ｘから見た側面視において、各サイドノズル２７の略前半分は、各保持部１６の先端部１６Ｂおよび途中部１６Ｃと重なる（図２参照）。
【００２７】
図４は、図３のＣ−Ｃ矢視断面図である。かかとノズル２８は、一対存在し、左右に並んだ状態で、洗浄槽５の後壁７の前面において各保持部１６の根元部１６Ａよりも高い位置に設けられる。一対のかかとノズル２８は、一対の保持部１６と左右方向Ｘにおいて１つずつ同じ位置にある。各かかとノズル２８は、左右方向Ｘに延びる中空体である。一対のかかとノズル２８のうち、左側Ｘ１のかかとノズル２８Ｌの左端部は、サイドノズル２７Ｌの後端部に連結され、右側Ｘ２のかかとノズル２８Ｒの右端部は、サイドノズル２７Ｒの後端部に連結される。かかとノズル２８の内部空間と、かかとノズル２８に連結されたサイドノズル２７の内部空間とは、連通した状態にある。左右方向Ｘで同じ側にあるサイドノズル２７とかかとノズル２８とは、別々に存在して組み合わされた別部品であってもよいし、平面視でＬ字状をなす１つの部品として一体形成されてもよい。
【００２８】
図５Ａは、図４のＤ−Ｄ矢視断面図である。図５Ｂは、靴洗浄装置１の底面図である。図５Ｃは、図５ＢのＧ−Ｇ矢視断面図である。図５Ｄは、靴洗浄装置１の背面図である。ポンプ２９として、回転するインペラ（図示せず）を内蔵する渦巻ポンプなどを採用できる。ポンプ２９は、洗浄槽５の底壁１０の後端部に固定される。ポンプ２９と、収納室１１の底面部１２における収容凹部１２Ｆの開口１２Ｇとは、底壁１０の下側Ｚ２に配置された管状の第１流路３２によってつながった状態にある（図２、図５Ｂおよび図５Ｃ参照）。ポンプ２９と、回転ノズル２６のタワーノズル３０の下端部とは、底壁１０の下側Ｚ２に配置された管状の第２流路３３によってつながった状態にある（図３および図５Ｂ参照）。
【００２９】
ポンプ２９と、各サイドノズル２７の後端部とは、洗浄槽５の後壁７の後側Ｙ２に配置された管状の第３流路３４および第４流路３５によってつながった状態にある。具体的には、サイドノズル２７Ｌの後端部に設けられたジョイントパイプ３６とポンプ２９とが、第３流路３４によってつながり、ジョイントパイプ３６とサイドノズル２７Ｒの後端部とが、第４流路３５によってつながる（図５Ａおよび図５Ｄ参照）。ジョイントパイプ３６は、上下に延びる円管状の入口管部３６Ａと、入口管部３６Ａの上端から前側Ｙ１へ延びる円管状の第１出口管部３６Ｂ（図４参照）と、入口管部３６Ａの上端から右上側（図５Ａおよび図５Ｄでは左上側）へ延びる円管状の第２出口管部３６Ｃとを一体的に有する。入口管部３６Ａの下端部が第３流路３４の上端部に接続され、第１出口管部３６Ｂの前端部がサイドノズル２７Ｌの後端部に接続され、第２出口管部３６Ｃの上端部が第４流路３５の左端部（図５Ａおよび図５Ｄでは右端部）に接続される。第１流路３２〜第４流路３５とジョイントパイプ３６は、噴射機構１９に含まれる。
【００３０】
ポンプ２９には、管状の排水路３７の一端が接続される。ポンプ２９は、第１流路３２に存在する水を吸い込んで、第２流路３３および第３流路３４だけに吐き出したり、排水路３７だけに吐き出したりすることができる。排水路３７の他端は、靴洗浄装置１の上側Ｚ１に配置される洗濯機（図示せず）の排水路に合流してもよい。
【００３１】
図２〜図４を参照して、噴射口２０は、回転ノズル２６のタワーノズル３０および各水平ノズル３１に設けられた噴射口２０Ａと、各サイドノズル２７に設けられたサイド噴射口２０Ｂと、各かかとノズル２８に設けられたかかと噴射口２０Ｃとを含む。複数の噴射口２０Ａは、タワーノズル３０の上端部３０Ａと、各水平ノズル３１の上面部とに設けられる。上端部３０Ａにおける複数の噴射口２０Ａは、例えば周方向Ｔおよび上下方向Ｚのそれぞれにおいて異なる位置に配置され、タワーノズル３０の内部に連通した状態にある。図４を参照して、各水平ノズル３１における複数の噴射口２０Ａは、径方向Ｒに沿って１列に並んで配置され、水平ノズル３１の内部に連通した状態にある。少なくとも１つの水平ノズル３１における複数の噴射口２０Ａにおいて径方向外側Ｒ１における端に位置する噴射口２０Ａ’では、その少なくとも一部が、周方向Ｔにおける一方側を向いた状態にある。
【００３２】
図２を参照して、サイド噴射口２０Ｂは、各サイドノズル２７において複数存在する。これらのサイド噴射口２０Ｂは、サイドノズル２７Ｌの右面部と、サイドノズル２７Ｒの左面部とに設けられる。各サイドノズル２７における複数のサイド噴射口２０Ｂは、前後方向Ｙに延びる上下２列をなすように前後上下に並んで配置され、サイド噴射口２０Ｂの内部に連通した状態にある。当該上下２列のうち、上側Ｚ１の列Ｌ１は、前後に並ぶ例えば６つのサイド噴射口２０Ｂによって構成され、下側Ｚ２の列Ｌ２は、列Ｌ１の後部の下側Ｚ２において前後に並ぶ例えば２つのサイド噴射口２０Ｂによって構成される。これらの列Ｌ１および列Ｌ２は、水平方向に近いものの、前上側へ傾斜して配置される。各サイドノズル２７では、列Ｌ１および列Ｌ２が上下に並んで設けられた部分が、この部分よりも前側Ｙ１において列Ｌ１だけが配置された部分よりも上下方向Ｚに大きい。
【００３３】
図４を参照して、かかと噴射口２０Ｃは、かかとノズル２８Ｌの右端部に１つ設けられ、かかとノズル２８Ｒの左端部に１つ設けられるが、各かかとノズル２８に複数のかかと噴射口２０Ｃが設けられてもよい。かかと噴射口２０Ｃは、かかとノズル２８の内部に連通した状態にある。各かかとノズル２８におけるかかと噴射口２０Ｃの近傍、例えば、かかと噴射口２０Ｃの真下には、位置決め部３８が設けられる。つまり、位置決め部３８は、左右一対存在する。各位置決め部３８は、左右方向Ｘに一致した板厚方向を有し、前側Ｙ１へ向かうにつれて上下方向に細くなって先端が丸められた三角形の板状に形成される（図２参照）。位置決め部３８の後端部は、かかとノズル２８または洗浄槽５の後壁７に固定される。
【００３４】
図２を参照して、保護部２１は、線材によって筒状に形成される。保護部２１は、仕切部材１５に載って収納室１１の上空間１１Ａに配置され、回転ノズル２６のタワーノズル３０の一部を取り囲む。具体的には、保護部２１は、タワーノズル３０において噴射口２０Ａが設けられた上端部３０Ａよりも下側Ｚ２の下部分３０Ｂと、一対の保持部１６のそれぞれとの間に配置されることにより、下部分３０Ｂを取り囲んで保護する（図３も参照）。保護部２１は、仕切部材１５とは別の部材であってもよいし、仕切部材１５に一体化されてもよい。
【００３５】
ダクト２２は、上下方向Ｚに延びる管状に形成され、洗浄槽５の後壁７に対して後側Ｙ２から固定される。ダクト２２の下端部には、出口２２Ａが形成される。出口２２Ａは、収納室１１の内壁部の一例である後壁７の前面部の下部に配置され、収納室１１内の下空間１１Ｂに後側Ｙ２から連通した状態にある。
【００３６】
送風部２３は、いわゆるファンであって、洗浄槽５の外に配置され、ダクト２２の上端部に上側Ｚ１から固定される。送風部２３の後面には、吸込口２３Ａが形成され、送風部２３の下面には、ダクト２２の内部空間に上側Ｚ１から臨む吐出口２３Ｂ（図５Ａ参照）が形成される。
【００３７】
給水路２４は、蛇口などの水栓（図示せず）から延びる管であって、ダクト２２において送風部２３の吐出口２３Ｂに接続された部分よりも下側Ｚ２の部分に左側Ｘ１から接続される（図５Ａ参照）。なお、給水路２４は、水栓（図示せず）に直結されるのではなく、靴洗浄装置１の上側Ｚ１に配置される洗濯機（図示せず）の給水路から分岐してダクト２２に接続されてもよい。給水路２４の途中には、電磁弁などによって構成された給水弁３９（図５Ａ参照）が取り付けられる。なお、給水路２４と、前述した排水路３７とは、本体３がスライド可能であることを踏まえて、ある程度長めに設定される。
【００３８】
本体３には、マイクロコンピュータなどで構成された制御部４０（図１参照）が設けられる。制御部４０は、配線（図示せず）によって、操作部４Ｃ、ヒータ１８、送風部２３、ポンプ２９および給水弁３９のそれぞれに対して電気的に接続される。そのため、制御部４０は、使用者による操作部４Ｃの操作を受け付けたり、ヒータ１８、送風部２３およびポンプ２９の動作や給水弁３９の開閉を制御したりすることができる。
【００３９】
次に、靴洗浄装置１による靴Ｓの洗浄運転について説明する。洗浄運転は、洗浄液によって靴Ｓを洗う洗い工程と、洗い工程後に洗浄液によって靴Ｓをすすぐすすぎ工程と、すすぎ工程の後に靴Ｓから水分を取り除く脱液工程とを含む。なお、洗い工程における洗浄液は、洗剤が溶けた水道水であり、すすぎ工程における洗浄液は、洗剤成分を含まない水道水である。なお、洗い工程では、水道水の代わりに風呂水が用いられてもよい。
【００４０】
洗浄運転の開始に先立って、使用者は、靴洗浄装置１の本体３を引出位置（図示せず）まで引き出して洗浄槽５の出入口１３を開放し、一足の靴Ｓを出入口１３から収納室１１の上空間１１Ａに収納する。その際、使用者は、それぞれの保持部１６の先端部１６Ｂを、靴Ｓの履き口ＳＨに下側Ｚ２から挿通した後に、つま先ＳＴ側を向くように靴Ｓの内部空間ＳＮに挿入する。これにより、上空間１１Ａ内では、一足の靴Ｓが左右方向Ｘに並び、それぞれの靴Ｓが、前後方向Ｙに略水平になった反転姿勢で保持部１６によって保持される。反転姿勢の靴Ｓでは、つま先ＳＴが前側Ｙ１を向き、靴底ＳＺが上側Ｚ１を向き、足の甲を覆うアッパ部ＳＵと履き口ＳＨとが下側Ｚ２を向いた状態にある。また、使用者は、靴Ｓを収納室１１に収納する際に、洗剤を収納室１１内に投入する。その後、使用者は、本体３を、図２〜図４に示す収容位置まで戻す。これにより、洗浄運転の準備が完了する。
【００４１】
洗浄運転の準備が完了した靴洗浄装置１では、収納室１１内において、回転ノズル２６のタワーノズル３０が、反転姿勢で保持された一対の靴Ｓの間に配置される。タワーノズル３０の上端部３０Ａは、これらの靴Ｓの靴底ＳＺよりも上側Ｚ１に突出して配置される。これにより、上端部３０Ａに設けられた複数の噴射口２０Ａのうち、少なくとも１つの噴射口２０Ａは、靴底ＳＺよりも高い位置に配置される。回転ノズル２６の各水平ノズル３１は、これらの靴Ｓよりも低い位置に配置され、各水平ノズル３１における噴射口２０Ａは、これらの靴Ｓのアッパ部ＳＵおよび履き口ＳＨに下側Ｚ２から臨んで配置される。
【００４２】
一対のサイドノズル２７は、収納室１１内における一対の靴Ｓの両側方、つまり、左右方向Ｘにおける両外側に配置される。サイドノズル２７Ｌにおけるサイド噴射口２０Ｂは、左側Ｘ１の靴Ｓの長手方向にほぼ沿って並んだ状態で、この靴Ｓにおける左側Ｘ１のサイド部ＳＳに左側Ｘ１から臨む。サイドノズル２７Ｒにおけるサイド噴射口２０Ｂは、右側Ｘ２の靴Ｓの長手方向にほぼ沿って並んだ状態で、この靴Ｓにおける右側Ｘ２のサイド部ＳＳに右側Ｘ２から臨む。側面視において、各サイドノズル２７における上側Ｚ１の列Ｌ１のサイド噴射口２０Ｂは、サイド部ＳＳにおいて靴底ＳＺ寄りの部分に重なって配置される。特に、列Ｌ１における前端のサイド噴射口２０Ｂは、サイド部ＳＳにおいてつま先ＳＴ寄りの部分に重なって配置され、列Ｌ１における後端のサイド噴射口２０Ｂは、サイド部ＳＳにおいてかかと部ＳＫ寄りの部分に重なって配置される。下側Ｚ２の列Ｌ２のサイド噴射口２０Ｂは、側面視において、サイド部ＳＳにおいて吐き口ＳＨ側へ偏った部分に重なって配置される。
【００４３】
一対のかかとノズル２８は、一対の靴Ｓの後側Ｙ２に配置される。かかとノズル２８Ｌにおけるかかと噴射口２０Ｃは、左側Ｘ１の靴Ｓのかかと部ＳＫに後側Ｙ２から臨み、かかとノズル２８Ｒにおけるかかと噴射口２０Ｃは、右側Ｘ２の靴Ｓのかかと部ＳＫに後側Ｙ２から臨む。左側Ｘ１の位置決め部３８の前端部が左側Ｘ１の靴Ｓのかかと部ＳＫに後側Ｙ２から接触し、右側Ｘ２の位置決め部３８の前端部が右側Ｘ２の靴Ｓのかかと部ＳＫに後側Ｙ２から接触する。これにより、左側Ｘ１の靴Ｓのかかと部ＳＫは、左側Ｘ１のかかと噴射口２０Ｃに対して前後方向Ｙにおける一定の隙間４１を隔てるように位置決め部３８によって位置決めされる。右側Ｘ２の靴Ｓのかかと部ＳＫも、右側Ｘ２のかかと噴射口２０Ｃに対して隙間４１を隔てるように位置決め部３８によって位置決めされる。
【００４４】
洗浄運転の準備が完了した後に、使用者が操作部４Ｃ（図１参照）を操作することによって、靴洗浄装置１に対して洗浄運転の開始を指示する。すると、制御部４０は、洗い工程を開始し、まず、給水弁３９を開いて収納室１１内への給水を行う。これにより、水栓（図示せず）からの水が、その水圧によって給水路２４を通ってダクト２２内に流入し、出口２２Ａから収納室１１に流れ落ちて収納室１１の下空間１１Ｂに溜まる。このようなダクト２２は、給水路２４の少なくとも一部を兼ねる。また、ダクト２２の出口２２Ａから下空間１１Ｂに流入した水道水が流出口１２Ｅ、開口１２Ｇおよび第１流路３２を通ってポンプ２９に到達するが（図５Ｂおよび図５Ｃにおける太い実線の矢印を参照）、制御部４０は、ポンプ２９を停止することによって、第１流路３２の水が少なくとも排水路３７に流入しないようにする。そのため、給水に応じて、下空間１１Ｂにおける水の水位が上昇する。
【００４５】
下空間１１Ｂにおける水面Ｗが回転ノズル２６の水平ノズル３１よりも低い所定水位まで上昇すると、制御部４０は、給水弁３９を閉じて給水を停止する。前述したように洗剤が収納室１１に事前に投入されるので、下空間１１Ｂには、洗剤が水に溶けることで生成された洗浄液が溜まる。下空間１１Ｂ内の洗浄液の一部は、第１流路３２にも行き渡る。なお、給水路２４に接続された洗剤収容室（図示せず）が靴洗浄装置１に設けられ、洗剤収容室に収容された洗剤が、給水時の水道水に乗って収納室１１内に投入されてもよい。
【００４６】
次に、制御部４０は、第１流路３２と排水路３７とがポンプ２９において引き続き遮断された状態を維持しつつ、収納室１１の下空間１１Ｂ内の洗浄液が第１流路３２から吸い込まれて第２流路３３や第３流路３４に吐き出されるようにポンプ２９を駆動させる。すると、第１流路３２から第２流路３３に吐き出された洗浄液（図５Ｂにおける太い１点鎖線の矢印を参照）は、回転ノズル２６のタワーノズル３０内に流入してタワーノズル３０内を上昇するとともに、各水平ノズル３１内にも行き渡る。
【００４７】
すると、各水平ノズル３１において一列に並ぶ複数の噴射口２０Ａのうち、前述した噴射口２０Ａ’（図４参照）から、周方向Ｔにおける一方側へ向けて洗浄液が噴射される。これにより、各水平ノズル３１が、周方向Ｔの推力を受けるので、回転ノズル２６の全体が縦軸Ｊまわりに回転する。なお、回転ノズル２６を回転させる推力を発生させるための噴射口２０Ａ’は、水平ノズル３１において径方向外側Ｒ１における端に位置する１つの噴射口２０Ａでなくてもよく、他の噴射口２０Ａであってもよい。回転ノズル２６の回転中において、靴Ｓを保持した左右の保持部１６は、タワーノズル３０から左右方向Ｘでほぼ等しい間隔を隔てて配置されるので、各靴Ｓは、回転中のタワーノズル３０に接触しない程度にタワーノズル３０から離れて配置される（図３参照）。
【００４８】
回転中の回転ノズル２６の各水平ノズル３１では、噴射口２０Ａ’以外の噴射口２０Ａから、洗浄液が、太い実線の矢印で示すように、上空間１１Ａ内の各靴Ｓのアッパ部ＳＵや履き口ＳＨに向けて下側Ｚ２から噴射される。また、回転中の回転ノズル２６のタワーノズル３０内を上昇した洗浄液は、太い破線の矢印で示すように、タワーノズル３０の上端部３０Ａにおける各噴射口２０Ａから各靴Ｓの靴底ＳＺやサイド部ＳＳに向けて上側Ｚ１から噴射される。
【００４９】
また、第１流路３２から第３流路３４に流入した洗浄液（図５Ｂおよび図５Ｄにおける太い破線の矢印を参照）は、ジョイントパイプ３６の入口管部３６Ａおよび第１出口管部３６Ｂ（図４および図５Ｄ参照）を経由してサイドノズル２７Ｌ内に行き渡るとともに、かかとノズル２８Ｌ内に行き渡る。第３流路３４を流れた洗浄液は、ジョイントパイプ３６の入口管部３６Ａおよび第２出口管部３６Ｃを経由して第４流路３５（図５Ａ参照）に流入した後に、サイドノズル２７Ｒ内に行き渡るとともに、かかとノズル２８Ｒ内に行き渡る。
【００５０】
すると、図４を参照して、サイドノズル２７Ｌでは、サイド噴射口２０Ｂから、洗浄液が、太い１点鎖線の矢印で示すように、左側Ｘ１の靴Ｓにおける左側Ｘ１のサイド部ＳＳに噴射される。かかとノズル２８Ｌでは、かかと噴射口２０Ｃから、洗浄液が、図４において太い破線の矢印で示すように、左側Ｘ１の靴Ｓのかかと部ＳＫに噴射される。サイドノズル２７Ｒでは、サイド噴射口２０Ｂから、洗浄液が、太い１点鎖線の矢印で示すように、右側Ｘ２の靴Ｓにおける右側Ｘ２のサイド部ＳＳに噴射される。かかとノズル２８Ｒでは、かかと噴射口２０Ｃから、洗浄液が、太い破線の矢印で示すように、右側Ｘ２の靴Ｓのかかと部ＳＫに噴射される。
【００５１】
なお、第３流路３４を流れてジョイントパイプ３６の入口管部３６Ａに流入した洗浄液は、第１出口管部３６Ｂでは略直角に向きを変えてサイドノズル２７Ｌ内に流入するが、第２出口管部３６Ｃではほとんど向きを変えずに第３流路３４を流れてサイドノズル２７Ｒ内に流入する。この場合には、サイドノズル２７Ｌ内に流入する洗浄液の勢いは、サイドノズル２７Ｒ内に流入する洗浄液の勢いよりも弱くなり得る。
【００５２】
そこで、第１出口管部３６Ｂの内径が、第２出口管部３６Ｃの内径よりも大きく設定される。さらに、第１出口管部３６Ｂの内部空間が、サイドノズル２７Ｌの内部空間に後側Ｙ２から直結され、これらの内部空間は、サイドノズル２７の長手方向に沿うとともに、前後方向Ｙから見て重なって配置されるので、これらの内部空間における水圧抵抗の低減が図られる。これにより、第１出口管部３６Ｂにおける洗浄液の流量を増やすとともに、第１出口管部３６Ｂの洗浄液を、図４の実線矢印で示すように、勢いを弱めることなくサイドノズル２７Ｌ内の前端部まで行き渡らせることができる。そのため、左右のサイドノズル２７のサイド噴射口２０Ｂからは、略同じ勢いの洗浄液が左右の靴Ｓに噴射される。
【００５３】
洗浄液が高圧で噴射された靴Ｓは、洗浄液の勢いによって泥や砂利などの汚れが除去されたり、洗浄液によって汚れが化学的に分解されたりすることによって洗浄される。特に、回転中の回転ノズル２６の水平ノズル３１の各噴射口２０Ａから噴射された洗浄液は、反転姿勢の各靴Ｓにおける表側の外面部の隅々、つまり、つま先ＳＴ、アッパ部ＳＵ、履き口ＳＨおよびかかと部ＳＫのそれぞれに対して満遍なく浴びせられる。これにより、そのため、表部分の形状の異なる様々な靴Ｓであっても、靴Ｓの表部分の全域はもちろん、履き口ＳＨから内部空間ＳＮ内に入り込んだ洗浄液によって内部空間ＳＮつまり靴Ｓの中の全域も洗浄できる。
【００５４】
また、一対のサイドノズル２７の各サイド噴射口２０Ｂが、各靴Ｓのサイド部ＳＳに洗浄液を左右方向Ｘから噴射し、一対のかかとノズル２８のかかと噴射口２０Ｃが、各靴Ｓのかかと部ＳＫに洗浄液を後側Ｙ２から噴射する。これにより、靴Ｓの表側の外面部では、サイド部ＳＳおよびかかと部ＳＫが洗浄液によって洗浄されるし、サイド部ＳＳおよびかかと部ＳＫを伝ってアッパ部ＳＵに流れ落ちる洗浄液によってアッパ部ＳＵや履き口ＳＨも洗浄される。
【００５５】
さらに、図２を参照して、水平ノズル３１の各噴射口２０Ａから噴射された後に収納室１１の天井である蓋１４に当たって落下する洗浄液の先には、靴底ＳＺつまり靴Ｓの裏側の外面部が存在する。さらに、回転ノズル２６のタワーノズル３０の上端部における各噴射口２０Ａが、タワーノズル３０と一体回転することによって各靴Ｓの靴底ＳＺにおける広い範囲に洗浄液を上側Ｚ１から噴射できる。これらの洗浄液により、靴底ＳＺの全域を効果的に洗浄できる。
【００５６】
以上により、靴Ｓをブラシなどで擦らなくても、各噴射口２０から収納室１１内の靴Ｓに噴射された高圧の洗浄液によって、靴Ｓをブラシなどで擦り洗いする場合と同等の洗浄力を維持しつつ、傷みが生じないように靴Ｓの内外の全体を満遍なく洗浄できる。そのため、靴Ｓに傷みが生じないように洗浄力の向上を図れる。
【００５７】
特に、各サイドノズル２７において上下に並んで配置された複数のサイド噴射口２０Ｂにより、前述したローカットタイプの靴Ｓ１やハイカットタイプの靴Ｓ２に関わらず、靴Ｓのサイド部ＳＳに洗浄液を確実に噴射することができる。そのため、履き口ＳＨの位置が異なるいずれの靴Ｓであっても、傷みが生じないように洗浄力の向上を図れる。
【００５８】
サイド噴射口２０Ｂが靴Ｓのサイド部ＳＳに洗浄液を噴射するのに加えて、かかと噴射口２０Ｃが靴Ｓのかかと部ＳＫに洗浄液を噴射するので、靴Ｓの外面部の全体を一層満遍なく洗浄できる。さらに、位置決め部３８によって、かかと部ＳＫが、かかと噴射口２０Ｃに対して位置決めされる。これにより、かかと部ＳＫの形状が異なるいずれの靴Ｓであっても、前述した一定の隙間４１が確保されるように、かかと噴射口２０Ｃとかかと部ＳＫとの位置関係が、かかと噴射口２０Ｃからかかと部ＳＫに洗浄液を噴射するのに最適な位置関係になる。これにより、かかと噴射口２０Ｃは、収納室１１内の靴Ｓのかかと部ＳＫに洗浄液を効果的に噴射できるので、洗浄力の一層の向上を図れる。
【００５９】
なお、靴Ｓの内部空間ＳＮに挿入された保持部１６は、多数の隙間を有する枠状なので、水平ノズル３１の各噴射口２０Ａから履き口ＳＨに向かう洗浄液は、保持部１６によって流れを阻害されることなく、履き口ＳＨから内部空間ＳＮ内へ円滑に流入できるし、流入後には履き口ＳＨから靴Ｓの外へ円滑に流出できる。ローカットタイプの靴Ｓ１のように、靴底ＳＺがつま先ＳＴ側からかかと部ＳＫ側へ向けて下側Ｚ２へずれるように靴Ｓの全体が傾いた状態にあれば、内部空間ＳＮ内の洗浄液を履き口ＳＨから靴Ｓの外へ一層円滑に流出させることができる。
【００６０】
また、洗い工程において、制御部４０は、ヒータ１８をＯＮにして下空間１１Ｂの洗浄液を加熱してもよい。この場合には、各噴射口２０から靴Ｓに浴びせられた温かい洗浄液によって洗浄力を高めることができるので、靴Ｓを一層効果的に洗浄できる。
【００６１】
また、収納室１１内において靴Ｓと回転ノズル２６の水平ノズル３１との間に仕切部材１５が設けられる。これにより、保持部１６から不意に外れて落下した靴Ｓや、この靴Ｓの靴紐（図示せず）などが水平ノズル３１に接触することによって回転ノズル２６の回転や水平ノズル３１の各噴射口２０からの洗浄液の噴射が阻害されることを防止できる。また、仕切部材１５は格子状であるので、各噴射口２０から噴射された洗浄液は、仕切部材１５における格子の目を通過することによって確実に靴Ｓに到達できる。よって、仕切部材１５が存在しても、水平ノズル３１の各噴射口２０から噴射される洗浄液によって靴Ｓを確実に洗浄できる。
【００６２】
洗浄液に用いられる洗剤は、石鹸成分である界面活性剤を通常の半分以下の１０質量％以下の割合で含む靴洗浄専用の低発泡洗剤であることが好ましい。この場合、洗浄液の異常な泡立ちを抑えて、洗浄液の泡による各噴射口２０の詰まりを防止でき、泡の抵抗による回転ノズル２６の回転速度の低下を防止できる。
【００６３】
洗い工程では、各噴射口２０から収納室１１の上空間１１Ａ内の靴Ｓに噴射された後に靴Ｓからこぼれた洗浄液や、各噴射口２０から上空間１１Ａ内に噴射されたものの靴Ｓにかからなかった洗浄液は、仕切部材１５における格子の目を通って下空間１１Ｂ内に落下して底面部１２に溜まる。洗い工程では、ポンプ２９が引き続き駆動される。そのため、下空間１１Ｂ内の洗浄液は、底面部１２における流出口１２Ｅおよび開口１２Ｇを経由して第１流路３２に流入し、第２流路３３、第３流路３４および第４流路３５を流れて回転ノズル２６、サイドノズル２７およびかかとノズル２８の各噴射口２０から上空間１１Ａ内へ噴射される。これにより、洗浄液は、上空間１１Ａと下空間１１Ｂとの間で循環する。そのため、少ない洗浄液でも、循環させて繰り返し使用することによって靴Ｓを洗浄できるので、節水性能の向上を図れる。
【００６４】
洗浄液の噴射によって靴Ｓから取り除かれた砂利などの異物は、流出口１２Ｅから収納室１１の外へ流出しようとする洗浄液に乗る。この洗浄液が流出口１２Ｅを通過する際に、フィルタユニット１７におけるフィルタ２５が、この洗浄液から異物を捕獲する。これにより、この異物が洗浄液とともに循環してポンプ２９や噴射口２０を詰まらせるような不具合を防止できる。靴洗浄装置１は、フィルタ２５よりも網目の細かいメッシュなどで構成されてシート状の第２のフィルタ４２をさらに含んでもよい。第２のフィルタ４２は、フィルタ２５を通過した洗浄液が開口１２Ｇに到達するまでの途中、例えばフィルタ２５の真下に配置される。第２のフィルタ４２は、フィルタ２５を通過した洗浄液に含まれる細かい異物を捕獲する。フィルタ２５および第２のフィルタ４２を通過して収納室１１の外へ流出した洗浄液は、ポンプ２９によって各噴射口２０へ送り込まれて各噴射口２０から収納室１１内に噴射されることにより、前述したように循環する。
【００６５】
制御部４０は、洗浄液の循環を所定時間継続した後に、第１流路３２の洗浄液が排水路３７に流れるようにポンプ２９の動作を切り換える。これにより、下空間１１Ｂの洗浄液が、第１流路３２および排水路３７を通って機外へ強制的に排出される。このような排水の後、制御部４０は、ポンプ２９を停止させる。これによって、洗い工程が終了する。なお、排水路３７の途中に、制御部４０によって開閉が制御されて排水時に開く排水弁（図示せず）が設けられてもよい。
【００６６】
洗い工程が終了すると、制御部４０は、すすぎ工程を開始して、再び給水を実行して水道水を下空間１１Ｂに溜める。給水によって下空間１１Ｂ内の水面Ｗが回転ノズル２６の水平ノズル３１よりも低い所定水位まで達すると、制御部４０は、ポンプ２９を駆動させることによって、水道水をすすぎ水として上空間１１Ａと下空間１１Ｂとの間で循環させる。これにより、回転ノズル２６、サイドノズル２７およびかかとノズル２８の各噴射口２０からのすすぎ水が、上空間１１Ａ内の靴Ｓに高圧で噴射されるので、靴Ｓがすすぎ水によってすすがれる。この際、制御部４０は、ヒータ１８をＯＮにして下空間１１Ｂのすすぎ水を加熱してもよい。この場合には、各噴射口２０から温かいすすぎ水を靴Ｓに浴びせることによって、靴Ｓを効果的にすすぐことができる。
【００６７】
制御部４０は、このようなすすぎ水の循環を所定時間継続した後に、第１流路３２の水が排水路３７に流れるようにポンプ２９の動作を切り換える。これにより、下空間１１Ｂのすすぎ水が第１流路３２および排水路３７を通って機外へ排出される。その後、制御部４０は、ポンプ２９を停止させる。これによって、すすぎ工程、つまり洗浄工程の全体が終了する。
【００６８】
洗浄工程の後、制御部４０は、送風部２３を駆動させることによって、脱液工程を開始する。これにより、機外の空気が、送風部２３の吸込口２３Ａおよび吐出口２３Ｂを通ってダクト２２内に取り込まれる。ダクト２２内に取り込まれた空気は、風となって出口２２Ａへ向かい、出口２２Ａから収納室１１内に送り込まれる。このようなダクト２２は、出口２２Ａに風を送り込む送風路の少なくとも一部、この実施形態では当該送風路の全部を兼ねる。
【００６９】
収納室１１内に送り込まれた空気は、送風部２３によって加圧された高圧の状態で、上空間１１Ａ内の各靴Ｓの外面部に浴びせられたり、履き口ＳＨから靴Ｓの内部空間ＳＮに流入したりすることによって、靴Ｓから洗浄液などの水分を染み出させる。染み出た水分は、靴Ｓからこぼれ落ちる。そのため、ダクト２２からの空気を各靴Ｓに浴びせることによって、洗浄後の靴Ｓを効果的に脱液できる。収納室１１内に送り込まれた空気は、最終的に、本体３の扉４の排気口４Ａ（図１参照）から機外へ排出される。なお、脱液工程において、制御部４０は、ヒータ１８をＯＮにして収納室１１内に熱風を発生させもよい。この場合、熱風によって靴Ｓを一層効果的に脱液できる。
【００７０】
送風部２３の駆動が開始されてから所定時間が経過すると、制御部４０は、送風部２３を停止させて、脱液工程を終了する。これにより、洗浄運転が終了する。なお、制御部４０は、脱液工程の最後にポンプ２９を駆動させて、脱液工程の際に靴Ｓからこぼれ落ちた水分を機外に排出してもよい。洗浄運転の終了後には、使用者は、本体３を引出位置（図示せず）まで引き出して洗浄槽５の出入口１３を開放し、収納室１１内の靴Ｓを出入口１３から取り出す。
【００７１】
以上のように、この靴洗浄装置１では、最初に靴Ｓを収納室１１に収納して保持部１６に保持させると、その後は、収納室１１内で靴Ｓを移動させなくても、一連の洗浄運転を実施できる。また、靴洗浄装置１では、保持部１６によって収納室１１内の靴Ｓを反転姿勢で保持するので、靴Ｓが縦向きの姿勢で保持される場合と比べて収納室１１の高さ寸法を小さく抑えることができるので、靴洗浄装置１全体のコンパクト化を図れる。
【００７２】
次に、保持部１６の詳細について説明する。図６は、保持部１６の斜視図である。図７は、保持部１６の平面図である。図８は、保持部１６の右側面図である。図６〜図８のそれぞれでは、各保持部１６において、根元部１６Ａと途中部１６Ｃとの境界、および、先端部１６Ｂと途中部１６Ｃとの境界が実線で図示される。図６を主に参照して、根元部１６Ａは、上側根元フレーム１６Ｄと下側根元フレーム１６Ｅとを有し、先端部１６Ｂは、先端フレーム１６Ｆを有し、途中部１６Ｃは、上側途中フレーム１６Ｇと下側途中フレーム１６Ｈと連結フレーム１６Ｉとを有する。
【００７３】
上側根元フレーム１６Ｄおよび下側根元フレーム１６Ｅのそれぞれは、前後方向Ｙへ水平に延びる直線状の線材によって構成され、左右に並んで一対存在する。左右一対の上側根元フレーム１６Ｄは、同じ高さ位置において平行に配置される。左右一対の下側根元フレーム１６Ｅは、同じ位置において平行に配置される。下側根元フレーム１６Ｅは、上側根元フレーム１６Ｄよりも僅かに低い位置に配置される。一対の上側根元フレーム１６Ｄの左右の間隔と、一対の下側根元フレーム１６Ｅの左右の間隔とは同じである。そのため、左側Ｘ１の上側根元フレーム１６Ｄの真下に、左側Ｘ１の下側根元フレーム１６Ｅが位置し、右側Ｘ２の上側根元フレーム１６Ｄの真下に、右側Ｘ２の下側根元フレーム１６Ｅが位置する。なお、左右方向Ｘで同じ側にある上側根元フレーム１６Ｄと下側根元フレーム１６Ｅは、左右方向Ｘで同じ位置に配置されなくても構わない。左側Ｘ１の上側根元フレーム１６Ｄおよび下側根元フレーム１６Ｅと、右側Ｘ２の上側根元フレーム１６Ｄおよび下側根元フレーム１６Ｅとによって左右方向Ｘから挟まれた空間は、根元部１６Ａに設けられた嵌込部１６Ｊである。嵌込部１６Ｊは、上下方向Ｚにおける両側へ開放された状態にある。
【００７４】
前後方向Ｙに一致した板厚方向を有する円盤状の取付台４５に、上側根元フレーム１６Ｄおよび下側根元フレーム１６Ｅのそれぞれの後端部が連結される。取付台４５は、保持部１６の一部または洗濯槽５の後壁７（図２参照）の一部であって、洗濯槽５に固定される。一対の上側根元フレーム１６Ｄは、取付台４５の円中心を通って前後方向Ｙに延びる仮想の基準軸Ｋを基準として左右対称に配置され、一対の下側根元フレーム１６Ｅも、基準軸Ｋを基準として左右対称に配置される（図７参照）。
【００７５】
先端フレーム１６Ｆは、前後方向Ｙへ水平に延びる直線状の線材によって構成され、左右に並んで一対存在する。左右一対の先端フレーム１６Ｆは、同じ高さ位置において平行となるように、基準軸Ｋを基準として左右対称に配置される（図７参照）。一対の先端フレーム１６Ｆの左右の間隔Ｄ１は、一対の上側根元フレーム１６Ｄの左右の間隔Ｄ２よりも狭い（図７参照）。洗浄対象として想定される最も内部空間ＳＮが狭い靴Ｓの当該内部空間ＳＮよりも先端部１６Ｂが左右に幅狭になるように、間隔Ｄ１が設定される。先端フレーム１６Ｆは、上側根元フレーム１６Ｄよりも高い位置に配置される。上側根元フレーム１６Ｄと先端フレーム１６Ｆとの高さ位置の差Ｈ１は、洗浄対象として想定される最も履き口ＳＨが高いハイカットタイプの靴Ｓ２における靴底ＳＺから履き口ＳＨまでの高さ寸法Ｈ２とほぼ同じになるように設定される（図８参照）。
【００７６】
上側途中フレーム１６Ｇおよび下側途中フレーム１６Ｈのそれぞれは、後下側へ向けて傾斜して延びる線材によって構成され、左右に並んで一対存在する。左右一対の上側途中フレーム１６Ｇは、基準軸Ｋを基準として左右対称に配置され（図７参照）、側面視において完全に重なる（図８参照）。左右一対の下側途中フレーム１６Ｈも、基準軸Ｋを基準として左右対称に配置され、側面視において完全に重なる（図８参照）。
【００７７】
各上側途中フレーム１６Ｇは、下部１６Ｋと上部１６Ｌと途中部１６Ｍとを一体的に有する。図６〜図８のそれぞれでは、下部１６Ｋと途中部１６Ｍとの境界、および、上部１６Ｌと途中部１６Ｍとの境界が破線で図示される。
【００７８】
下部１６Ｋは、左右方向Ｘの位置を変えずに後下側へ向けて傾斜して延びる直線状に形成される。左側Ｘ１の上側途中フレーム１６Ｇにおける下部１６Ｋの下端部は、後側Ｙ２へ湾曲して左側Ｘ１の上側根元フレーム１６Ｄの前端に接続される。右側Ｘ２の上側途中フレーム１６Ｇにおける下部１６Ｋの下端部は、後側Ｙ２へ湾曲して右側Ｘ２の上側根元フレーム１６Ｄの前端に接続される。左右一対の下部１６Ｋの間隔Ｄ３は、左右一対の上側根元フレーム１６Ｄの間隔Ｄ２と同じである（図７参照）。
【００７９】
上部１６Ｌは、左右方向Ｘの位置を変えずに後下側へ向けて傾斜して延びる直線状に形成される。左側Ｘ１の上側途中フレーム１６Ｇにおける上部１６Ｌの上端部は、前側Ｙ１へ湾曲して左側Ｘ１の先端フレーム１６Ｆの後端に接続される。右側Ｘ２の上側途中フレーム１６Ｇにおける上部１６Ｌの上端部は、前側Ｙ１へ湾曲して右側Ｘ２の先端フレーム１６Ｆの後端に接続される。左右一対の上部１６Ｌの間隔Ｄ４は、左右一対の先端フレーム１６Ｆの間隔Ｄ１と同じである（図７参照）。
【００８０】
途中部１６Ｍは、基準軸Ｋから左右方向Ｘの外側へ離れつつ後下側へ向けて傾斜して延びる直線状に形成される。各上側途中フレーム１６Ｇでは、途中部１６Ｍの下端が下部１６Ｋの上端に接続され、途中部１６Ｍの上端が上部１６Ｌの下端に接続される。左右一対の途中部１６Ｍの間隔Ｄ５は、後下側へ向けて徐々に広がるように設定される（図７参照）。
【００８１】
左右一対の下側途中フレーム１６Ｈは、左右一対の上側途中フレーム１６Ｇの真下に１つずつ配置され、上側途中フレーム１６Ｇと下側途中フレーム１６Ｈとは平面視において完全に重なるが、多少ずれてもよい。各下側途中フレーム１６Ｈは、下部１６Ｎと上部１６Ｐと途中部１６Ｑとを一体的に有する。図６〜図８のそれぞれでは、下部１６Ｎと途中部１６Ｑとの境界、および、上部１６Ｐと途中部１６Ｑとの境界が破線で図示される。
【００８２】
下部１６Ｎは、左右方向Ｘの位置を変えずに後下側へ向けて緩やかに湾曲しながら延びる円弧状に形成される。左側Ｘ１の下側途中フレーム１６Ｈにおける下部１６Ｎの後端は、左側Ｘ１の下側根元フレーム１６Ｅの前端に接続される。右側Ｘ２の下側途中フレーム１６Ｈにおける下部１６Ｎの後端は、右側Ｘ２の下側根元フレーム１６Ｅの前端に接続される。各下側途中フレーム１６Ｈの下部１６Ｎは、左右方向Ｘで同じ側にある上側途中フレーム１６Ｇの下部１６Ｋの真下に位置してもよい。下部１６Ｎおよび下部１６Ｋの前端同士は、前後方向Ｙで同じ位置にあってもよく、下部１６Ｎおよび下部１６Ｋの後端同士は、前後方向Ｙで同じ位置にあってもよい（図８参照）。下部１６Ｎと下部１６Ｋとの上下の間隔Ｄ６は、前側Ｙ１へ向かうにつれて広がるように設定される（図８参照）。
【００８３】
上部１６Ｐは、左右方向Ｘの位置を変えずに後下側へ向けて傾斜して延びる直線状に形成される。左側Ｘ１の下側途中フレーム１６Ｈにおける上部１６Ｐの上端部は、後側Ｙ２へ円弧状に折り曲げられて左側Ｘ１の先端フレーム１６Ｆの前端に接続される。右側Ｘ２の下側途中フレーム１６Ｈにおける上部１６Ｐの上端部は、後側Ｙ２へ円弧状に折り曲げられて右側Ｘ２の先端フレーム１６Ｆの前端に接続される。各下側途中フレーム１６Ｈの上部１６Ｐは、左右方向Ｘで同じ側にある上側途中フレーム１６Ｇの上部１６Ｌの真下に位置して上部１６Ｌと平行に延びてもよい。上部１６Ｐおよび上部１６Ｌの後端同士は、前後方向Ｙで同じ位置にあってもよい（図８参照）。
【００８４】
途中部１６Ｑは、基準軸Ｋから左右方向Ｘの外側へ離れつつ後下側へ向けて傾斜して延びる直線状に形成される。各下側途中フレーム１６Ｈでは、途中部１６Ｑの下端が下部１６Ｎの上端に接続され、途中部１６Ｑの上端が上部１６Ｐの下端に接続される。各下側途中フレーム１６Ｈの途中部１６Ｑは、左右方向Ｘで同じ側にある上側途中フレーム１６Ｇの途中部１６Ｍの真下に位置して途中部１６Ｍと略平行に延びてもよい。途中部１６Ｑおよび途中部１６Ｍの前端同士は、前後方向Ｙで同じ位置にあってもよく、途中部１６Ｑおよび途中部１６Ｍの後端同士は、前後方向Ｙで同じ位置にあってもよい（図８参照）。
【００８５】
左右の上側途中フレーム１６Ｇの途中部１６Ｍ同士と、左右の下側途中フレーム１６Ｈの途中部１６Ｑ同士とは、途中部１６Ｃに設けられた嵌合部１６Ｒである。嵌合部１６Ｒは、後下側の根元部１６Ａへ向けて徐々に左右に幅広になるように構成される。嵌合部１６Ｒの最小幅、具体的には嵌合部１６Ｒの前端部の最大幅Ｄ７（図７参照）は、洗浄対象として想定される最も履き口ＳＨが狭い靴Ｓにおける当該履き口ＳＨの幅よりも狭くなるように設定される。嵌合部１６Ｒの最大幅、具体的には嵌合部１６Ｒの後端部の最大幅Ｄ８（図７参照）は、洗浄対象として想定される最も履き口ＳＨが広い靴Ｓにおける当該履き口ＳＨの幅よりも広くなるように設定される。
【００８６】
連結フレーム１６Ｉは、例えば略Ｃ字の円弧状に延びる線材によって構成される。連結フレーム１６Ｉは、一例として、各上側途中フレーム１６Ｇの上部１６Ｌと、各下側途中フレーム１６Ｈの上部１６Ｐとに接続されることによって、一対の上側途中フレーム１６Ｇ間に架設されるとともに、一対の下側途中フレーム１６Ｈ間に架設される。これにより、保持部１６全体が上下前後左右に変形しにくくなるように補強される。
【００８７】
前述したように、洗浄運転の開始に先立って、使用者が靴Ｓを収納室１１に収納し、その際に、保持部１６の先端部１６Ｂを、靴Ｓの履き口ＳＨに下側Ｚ２から挿通した後に、靴Ｓの内部空間ＳＮに挿入する（図２参照）。先端部１６Ｂは、内部空間ＳＮよりも幅狭に設定されるので、内部空間ＳＮに挿入しやすい。図８に示すように、先端部１６Ｂが靴Ｓの内部空間ＳＮに挿入された後の保持部１６では、先端部１６Ｂの先端フレーム１６Ｆが、靴底ＳＺと平行または略平行になった状態で靴底ＳＺを下側Ｚ２から支持し、嵌合部１６Ｒが履き口ＳＨに嵌り、嵌込部１６Ｊにかかと部ＳＫが上側Ｚ１から嵌め込まれる。これにより、収納室１１内での高さ方向つまり上下方向Ｚにおける靴Ｓの位置が安定する。特に、内部空間ＳＮにおける先端部１６Ｂは、靴Ｓの重心ＳＧよりもつま先ＳＴに近い奥側に配置されるので、保持部１６によって保持された靴Ｓがふらつきにくい。
【００８８】
また、靴Ｓのかかと部ＳＫが嵌込部１６Ｊに嵌め込まれて少なくとも左右一対の上側根元フレーム１６Ｄによって挟まれる。これに加えて、保持部１６の途中部１６Ｃにおいて根元部１６Ａへ向けて幅広になるように構成された嵌合部１６Ｒにおける左右一対の途中部１６Ｑおよび／または途中部１６Ｍが、靴Ｓの履き口ＳＨに嵌って履き口ＳＨを左右に広げる（図７参照）。これにより、靴Ｓが左右に倒れにくくなり、収納室１１内での横方向つまり左右方向Ｘにおける靴Ｓの位置が安定する。
【００８９】
以上により、靴洗浄装置１では、収納室１１内の靴Ｓを保持部１６によって安定した位置で保持した状態で洗浄できる。このような保持部１６は、線材によってシンプルに構成できる。
【００９０】
また、保持部１６では、根元部１６Ａが先端部１６Ｂよりも低い位置に配置され、途中部１６Ｃが先端部１６Ｂから根元部１６Ａへ向けて下側Ｚ２へ傾斜するように構成される。これにより、ローカットタイプの靴Ｓ１や、ハイカットタイプの靴Ｓ２に関わらず、靴Ｓのかかと部ＳＫが根元部１６Ａの嵌込部１６Ｊに嵌め込まれ、先端部１６Ｂが靴底ＳＺを下側Ｚ２から支持し、途中部１６Ｃの嵌合部１６Ｒが靴Ｓの履き口ＳＨに嵌る。そのため、履き口ＳＨの高さが異なるいずれの靴Ｓであっても、保持部１６によって安定した位置で保持した状態で洗浄できる。
【００９１】
ローカットタイプの靴Ｓ１は、靴底ＳＺが後下側へ傾斜するように保持部１６によって保持され、ハイカットタイプの靴Ｓ２は、靴底ＳＺが略水平になるように保持部１６によって保持されるものの、履き口ＳＨの高さの違いが保持部１６の途中部１６Ｃにおける傾斜によって吸収されることにより、靴Ｓ１および靴Ｓ２のそれぞれの姿勢はほとんど同じである。さらに、保持部１６の先端部１６Ｂは、サイドノズル２７のサイド噴射口２０Ｂ、特に上側Ｚ１の列Ｌ１のサイド噴射口２０Ｂと上下方向Ｚにおいてほぼ同じ位置にある。そのため、先端部１６Ｂによって靴底ＳＺが支持された靴Ｓ１および靴Ｓ２のそれぞれでは、サイド噴射口２０Ｂからの洗浄液を浴びる位置が大きく変わらないので、靴Ｓ１および靴Ｓ２に関わらす、均一の洗浄性能を確保できる。
【００９２】
また、図３を参照して、洗浄運転中において回転ノズル２６が回転すると、回転ノズル２６に設けられた噴射口２０から噴射した洗浄液が、太い破線矢印で示すように、各保持部１６によって安定した位置で保持された靴Ｓに満遍なく浴びせられるので、靴Ｓの全体を満遍なく洗浄できる。各保持部１６によって保持された靴Ｓと回転ノズル２６との間に配置された保護部２１が、回転ノズル２６を靴Ｓから保護する。さらに、各靴Ｓが回転ノズル２６側へ倒れることを保護部２１によって防止することもできるので、靴洗浄装置１では、収納室１１内の靴Ｓを、一層安定した位置で保持した状態で洗浄できる。保護部２１は、保持部１６と一体化されてもよい。なお、回転ノズル２６を靴Ｓから保護するとともに、回転ノズル２６のタワーノズル３０の上端部３０Ａにおける噴射口２０Ａからの洗浄液の流れを邪魔しないために、保護部２１の上端は、上端部３０Ａにおける下端の噴射口２０Ａよりも低く、靴底ＳＺとほぼ同じ高さ位置に設定される。また、保護部２１において左右の靴Ｓに挟まれる上部は、各靴Ｓにおけるタワーノズル３０側のサイド形状に沿うように、上側Ｚ１へ向けて細くなるように形成されるとよい。これにより、保持部１６への靴Ｓの着脱時に、靴Ｓが保護部２１の上部に引っ掛かることを防止できる。
【００９３】
この発明は、以上に説明した実施形態に限定されるものではなく、請求項に記載の範囲内において種々の変更が可能である。
【００９４】
例えば、前述した実施形態では、靴洗浄装置１は、洗濯機の台（図示せず）に組み込まれて使用されるが、洗濯機そのものに組み込まれてもよく、これらの場合において、靴洗浄装置１の制御部４０は、洗濯機の制御部から指示を受けることによって洗浄運転を実行してもよい。もちろん、靴洗浄装置１は、洗濯機の台や洗濯機に組み込まれることなく、単独で存在してもよく、その場合には、フレーム２が省略され、本体３がスライド可能でなくてもよい。
【００９５】
また、この発明は、噴射口２０から噴射した洗浄液によって靴Ｓを洗浄する構成の靴洗浄装置１に限らず、ブラシなどで靴Ｓを擦り洗いする他の構成の靴洗浄装置にも適用できる。
【符号の説明】
【００９６】
１      靴洗浄装置
１１    収納室
１６    保持部
１６Ａ  根元部
１６Ｂ  先端部
１６Ｃ  途中部
１６Ｊ  嵌込部
１６Ｒ  嵌合部
２０    噴射口
２１    保護部
２６    回転ノズル
Ｊ      縦軸
Ｓ      靴
ＳＨ    履き口
ＳＫ    かかと部
ＳＮ    内部空間
ＳＺ    靴底
Ｚ１    上側
Ｚ２    下側
【図１】
2019024750.tif 000003
【図２】
2019024750.tif 000004
【図３】
2019024750.tif 000005
【図４】
2019024750.tif 000006
【図５Ａ】
2019024750.tif 000007
【図５Ｂ】
2019024750.tif 000008
【図５Ｃ】
2019024750.tif 000009
【図５Ｄ】
2019024750.tif 000010
【図６】
2019024750.tif 000011
【図７】
2019024750.tif 000012
【図８】
2019024750.tif 000013